(57)【要約】【課題】適応可能な登録およびページングエリア決定のための方法と装置【解決手段】適応可能な登録の方法が開示される。アクセス端末はモードとそれの位置とに基づいて登録エリアを調整する。したがって、ネットワークはそのページングエリアをも調整する。一般に、アクセス端末は小登録エリアからその移動性に基づいて大登録エリアに移行する。【選択図】図４Ａ
2011217402.tif 000002
【特許請求の範囲】
【請求項１】
無線通信システム内で動作可能な装置であって、
第１の登録が要求されるか否かを決定するための手段、
第１の登録が要求されることを決定したならば、第１の登録を実行するための手段、および、
第２の登録エリアを発生するための手段
を具備する装置。
【請求項２】
第１の登録が要求されるか否かを決定するための該手段は、現在の位置が第１の登録エリアの外部にあるか否かを決定するための手段を備える、
請求項１記載の装置。
【請求項３】
現在の位置が第１の登録エリアの外部にあるか否かを決定するための該手段はアクセス端末の該現在の位置を決定するための手段を備える、
請求項２記載の装置。
【請求項４】
第２の登録エリアを発生するための該手段は新登録エリアを決定し、そしてそれを第１の登録エリアに加えるための手段を備える、
請求項２記載の装置。
【請求項５】
第２の登録エリアを発生するための該手段は現在のサービス基地局のカバレッジエリアを使用している新エリアを発生するための手段を備える、
請求項１記載の装置。
【請求項６】
第２の登録エリアを発生するための該手段は現在の位置を使用している新エリアを発生するための手段を備える、
請求項１記載の装置。
【請求項７】
現在の位置を使用するための該手段はグローバルポジショニングシステム（ＧＰＳ）を使用している該現在の位置を決定するための手段から成る、
請求項６記載の装置。
【請求項８】
第２の登録エリアを発生するための該手段は第１のアクセス点の位置を使用している新エリアを発生するための手段を備える、
請求項１記載の装置。
【請求項９】
該第１のアクセス点の位置を使用するための該手段は該第１のアクセス点の経度および緯度値を使用するための手段を備える、
請求項８記載の装置。
【請求項１０】
さらに、第２の登録が要求されるか否かを決定するための手段、
第２の登録が要求されることを決定したならば、第２の登録を実行するための手段、および、
第３の登録エリアを発生するための手段、
を具備する請求項１記載の装置。
【請求項１１】
第１の登録エリアから該第２の登録エリアに移行するための手段をさらに備え、該第１の登録エリアは小さいおよび第２の登録エリアは大きい、
請求項１記載の装置。
【請求項１２】
該第１の登録が要求されるか否かを決定するための該手段は、該アクセス端末の位置を決定するための手段および該位置が第１の登録エリアの外部にあるか否かを決定するための手段を含む、
請求項１記載の装置。
【請求項１３】
該位置を決定するための該手段はサービングアクセス点の経度および緯度値を使用するための手段を備える、
請求項１２記載の装置。
【請求項１４】
該位置を決定するための該手段は該アクセス端末の該位置を得るためにＧＰＳを使用するための手段を備える、
請求項１３記載の装置。
【請求項１５】
該位置を決定するための該手段は該アクセス端末が交差した該登録数についての情報を使用するための手段を備える、
請求項１３記載の装置。
【請求項１６】
無線通信システム内で登録エリアを調整するための方法であって、
第１の登録が要求されるか否かを決定すること、
第１の登録が要求されることを決定したならば、第１の登録を実行すること、および、
第２の登録エリアを発生すること、
を含む方法。
【請求項１７】
第１の登録が要求されるか否かを該決定することは、現在の位置が第１の登録エリアの外部にあるか否かを決定することを含む、
請求項１６記載の方法。
【請求項１８】
現在の位置が第１の登録エリアの外部にあるか否かを該決定することはアクセス端末の該現在の位置を決定することを含む、
請求項１７記載の方法。
【請求項１９】
第２の登録エリアを該発生することは新登録エリアを決定することそしてそれを第１の登録エリアに加えることを含む、
請求項１７記載の方法。
【請求項２０】
第２の登録エリアを該発生することは現在のサービス基地局のカバレッジエリアを使用している新エリアを発生することを含む、
請求項１６記載の方法。
【請求項２１】
第２の登録エリアを該発生することは現在の位置を使用している新エリアを発生することを含む、
請求項１６記載の方法。
【請求項２２】
現在の位置を使用することはグローバルポジショニングシステム（ＧＰＳ）を使用している該現在の位置を決定することを含む、
請求項２１記載の方法。
【請求項２３】
第２の登録エリアを該発生することは第１のアクセス点の位置を使用している新エリアを発生することを含む、
請求項１６記載の方法。
【請求項２４】
該第１のアクセス点の位置を使用することは該第１のアクセス点の経度および緯度値を使用することを含む、
請求項２３記載の方法。
【請求項２５】
さらに、第２の登録が要求されるか否かを決定すること、
第２の登録が要求されることを決定したならば、第２の登録を実行すること、および、
第３の登録エリアを発生すること、
を含む請求項１６記載の方法。
【請求項２６】
第１の登録エリアから該第２の登録エリアに移行することをさらに含み、該第１の登録エリアは小さくそして第２の登録エリアは大きい、
請求項１６記載の方法。
【請求項２７】
該第１の登録が要求されるか否かを該決定することは、該アクセス端末の位置を決定することおよび該位置が第１の登録エリアの外部にあるか否かを決定することを含む、請求項１６記載の方法。
【請求項２８】
該位置を該決定することはサービングアクセス点の経度および緯度値を使用することを含む、
請求項２７記載の方法。
【請求項２９】
ここにおいて該位置を該決定することは該アクセス端末の該位置を得るためにＧＰＳを使用するための手段から成る、請求項２８記載の方法。
【請求項３０】
該位置を該決定することは該アクセス端末が交差した該登録数についての情報を使用することを含む、
請求項２８記載の方法。
【請求項３１】
無線通信システム内で動作可能な装置であって、
第１の登録が要求されるか否かを決定するように構成されたプロセッサを含み、なお第１の登録が要求されることを決定したならば、該プロセッサは第１の登録を実行するようにさらに構成され、そして該プロセッサは第２の登録エリアを発生するようにさらに構成される装置。
【請求項３２】
該プロセッサは現在の位置が第１の登録エリアの外部にあるか否かを決定するようにさらに構成される、
請求項３１記載の装置。
【請求項３３】
該プロセッサは該現在の位置を決定するようにさらに構成される、
請求項３２記載の装置。
【請求項３４】
該プロセッサは新登録エリアを決定するおよびそれを第１の登録エリアに加えるようにさらに構成される、
請求項３２記載の装置。
【請求項３５】
該プロセッサは現在のサービス基地局のカバレッジエリアを使用している新エリアを発生するようにさらに構成される、
請求項３１記載の装置。
【請求項３６】
該プロセッサは現在の位置を使用している新エリアを発生するようにさらに構成される、請求項３１記載の装置。
【請求項３７】
該プロセッサはグローバルポジショニングシステム（ＧＰＳ）を使用している該現在の位置を決定するようにさらに構成される、
請求項３６記載の装置。
【請求項３８】
該プロセッサは第１のアクセス点の位置を使用している新エリアを発生するようにさらに構成される、
請求項３１記載の装置。
【請求項３９】
該プロセッサはアクセス点の該位置を決定するために該第１のアクセス点の経度および緯度値を使用するようにさらに構成される、
請求項３８記載の装置。
【請求項４０】
該プロセッサは第２の登録が要求されるか否かを決定するようにさらに構成され、第２の登録が要求されることを決定したならば、該プロセッサは第２の登録を実行するようにさらに構成され、および該プロセッサは第３の登録エリアを発生するようにさらに構成される、
請求項３１記載の装置。
【請求項４１】
機械可読媒体であって、機械によって実行した時に、該機械に
第１の登録が要求されるか否かを決定すること、
第１の登録が要求されることを決定したならば、第１の登録を実行すること、および、
第２の登録エリアを発生すること
を含む動作を行わせる命令を含む機械可読媒体。
【請求項４２】
第１の登録が要求されるか否かを該決定することは、現在の位置が第１の登録エリアの外部にあるか否かを決定することを含む、
請求項４１記載の機械可読媒体。
【請求項４３】
現在の位置が第１の登録エリアの外部にあるか否かを該決定することはアクセス端末の該現在の位置を決定することを含む、
請求項４２記載の機械可読媒体。
【請求項４４】
第２の登録エリアを該発生することは新登録エリアを決定するおよびそれを第１の登録エリアに加えることを含む、
請求項４２記載の機械可読媒体。
【請求項４５】
さらに、第２の登録が要求されるか否かを決定すること、
第２の登録が要求されることを決定したならば、第２の登録を実行すること、および、
第３の登録エリアを発生すること、
を含む請求項４１記載の機械可読媒体。
【請求項４６】
無線通信システム内で動作可能な装置であって、
第１の登録が要求されるか否かを決定するように構成されたプロセッサ、なお、第１の登録が要求されることを決定したならば、該プロセッサは第１の登録を実行するようにさらに構成され、そして該プロセッサは第２の登録エリアを発生するようにさらに構成され、
登録エリア用の該パラメータを蓄積するように構成されたメモリ、および、
登録要求を送信するように構成された送信器、
を含む装置。
【請求項４７】
無線通信システム内で動作可能な装置であって、
第１の登録要求を該第１の登録エリアの外部にあるアクセス端末から受信するための手段、および、
該第１の登録要求を受信することに応じて該アクセス端末のための該ページングエリアを調整するための手段、
を具備する装置。
【請求項４８】
無線通信エリア内のページングエリアを調整するための方法であって、
第１の登録要求を該第１の登録エリアの外部にあるアクセス端末から受信すること、および、
該第１の登録要求を受信することに応じて該アクセス端末のための該ページングエリアを調整すること、
を含む方法。
【発明の詳細な説明】
【関連技術】
【０００１】
［米国特許法１１９条における優先権の請求］
本特許出願は２００５年６月１６日提出の仮出願番号第６０／６９１，７０５号、タイトル“適応可能な登録およびページングエリア決定の方法（Ａ ＭＥＴＨＯＤ ＯＦ ＡＤＡＰＴＩＶＥ ＲＥＧＩＳＴＲＡＴＩＯＮ ＡＮＤ ＰＡＧＩＮＧ ＡＲＥＡ ＤＥＴＥＲＭＩＮＡＴＩＯＮ）”への優先権を主張し、そしてこれに関して譲受人に譲渡され、引用されてこの中に明確に組み込まれる。
【技術分野】
【０００２】
本明細書は一般に通信システムにおける登録テクニックに関し、より詳しくはページングエリア（paging area）を決定することと共に使用された登録テクニックに関する。
【背景技術】
【０００３】
無線通信システムは、ボイス、データ等のようないろいろなタイプの通信内容を提供するために広く展開される。これらのシステムは利用可能なシステム資源（例えば、帯域幅および送信パワー）を共有することによって複数のユーザとの通信をサポートできる多重アクセスシステムであることができる。そのような多重アクセスシステムの実例は符号分割多重アクセス（ＣＤＭＡ）システム、時分割多重アクセス（ＴＤＭＡ）システム、周波数多重アクセス（ＦＤＭＡ）システム、および直交周波数分割多重アクセス（ＯＦＤＭＡ）システムを含む。
【０００４】
一般に、無線多重アクセスシステムは同時に複数の無線端末のための通信をサポートすることができる。各端末は順方向および逆方向リンク上の伝送により１つまたはそれ以上の基地局と通信する。順方向リンク（またはダウンリンク）は基地局から端末への通信リンクを指し、そして逆方向リンク（またはアップリンク）は端末から基地局への通信リンクを指す。この通信リンクは単数入力単数出力、複数入力単数出力または複数入力複数出力（ＭＩＭＯ）システムにより確立されてもよい。
【０００５】
通信システムでは、ネットワークは数基地局から成り、それの各局は１つまたはそれ以上のアクセス端末と通信する。ネットワークからの典型的なページングメッセージは、移動体端末が存在しそうであるとネットワークが決定する１組の基地局（ページングエリア）から送られる。ページが送られるエリアはページングエリアと呼ばれる。ページングのために必要なネットワーク資源はそのページングエリアの増加と共に増加する。従って、ページングエリアを最小限にすることが望ましい。ページングエリアは典型的に登録に基づいて決定され、そこでは移動体端末はその現在位置をネットワークに送信する。
【０００６】
無線通信システムでは、登録はそれによって移動体端末（即ち、アクセス端末）がその位置、ステータス、ＩＤ、および他の特性をネットワークに通知する処理である。登録処理はネットワークに、到来ボイスまたはデータ呼がある時にそれがこのアクセス端末をページすることができるように、このアクセス端末を見付け出す方法を知らせる。パワー（即ち、電池寿命）を保存するために、アクセス端末はパワーセーブモードに入る。もう１つの方法はアクセス端末がネットワークで登録する回数を減らすことである。登録の行動はアクセス端末がパワーセーブモードから出て基地局との通信に頼ることを始めさせる必要がある。
【０００７】
従来の方法は登録の頻度を減らすことによってパワーを保存しようとする。これは移動可能でないか固定型であるこれらの端末にはよく使用できるかもしれない。しかしながら、アクセス端末はそのネットワーク内で（例えば、１つの基地局からもう１つへ行く）移動可能であり得るので、登録を減らすことはそのアクセス端末がページを受けるであろうことをネットワークが保証するようにアクセス端末をページするためのそれの資源を増加させることに等しい。
【０００８】
従って移動可能であるアクセス端末のための登録エリア（registration area）およびページングエリアを適応するように調整することについての方法を持つ必要性がある。
【発明の概要】
【０００９】
１態様では、装置は各々論理を有する複数の電子装置を備え、ここにおいてこの装置は第１の登録が要求されるか否かを決定するために、もしも第１の登録が要求されることを決定したならば、第１の登録を実行するおよび第２の登録エリアを発生するために１つまたはそれ以上の電子装置を使用するように構成される。
【００１０】
もう１つの態様では、登録エリアを調整するための方法を備え、ここにおいてこの方法は第１の登録が要求されるか否かを決定するために、もしも第１の登録が要求されることを決定したならば、第１の登録を実行するおよび第２の登録エリアを発生するように構成される。
【００１１】
もう１つの態様では、機械可読媒体は第１の登録が要求されるか否かを決定するための、もしも第１の登録が要求されることを決定したならば、第１の登録を実行するための、および第２の登録エリアを発生するための命令を有する。
【００１２】
この態様のすべての長所および範囲のより完全な認識は添付された図面、明細書および付加されたクレームから得られることができる。
【図面の簡単な説明】
【００１３】
【図１】図１は、１態様による複数のアクセス無線通信システムを示す。
【図２】図２は、通信システムのブロック図である。
【図３】図３は、１態様による記載の適応可能な登録エリアを示す。
【図４Ａ】図４Ａは、基地局カバレッジエリアを使用している適応可能な登録エリアを示す図。
【図４Ｂ】図４Ｂは、別の態様による適応可能な登録エリアに基づいた距離を示す。
【図４Ｃ】図４Ｃは、別の態様による適応可能な登録エリアに基づいた距離を示す。
【図５】図５は、アクセス端末によって使用された方法のフローを示す。
【図６】図６は、ネットワークによって使用された方法のフローを示す。
【図７Ａ】図７Ａは、ある複数の実施形態の１態様による方法７００を実行するための１つまたはそれより多くのモジュールの使用を示す。
【図７Ｂ】図７Ｂは、ある複数の実施形態の１態様による方法７５０を実行するための１つまたはそれより多くのモジュールの使用を示す。
【発明を実施するための形態】
【００１４】
本開示の特徴、本質および長所は、その中では同様の参照記号がここでおよび全体を通して同様と確認する参照符号を有する図面とともに採用された時に、下に述べる詳細説明からさらに明白になるであろう。  
図１を参照して、１つの態様に記載の複数のアクセス無線通信システムが図示される。アクセス点（ＡＰ）１００は複数のアンテナ群を含み、１つは１０４および１０６を含み、もう１つは１０８および１１０を含み、そして追加は１１２および１１４を含む。図１では、各アンテナ群について２アンテナのみが示されるが、しかしながら、より多いまたはより少ないアンテナが各アンテナ群に使用される。アクセス端末（ＡＴ）１１６はアンテナ１１２および１１４と通信しており、ここでアンテナ１１２および１１４は順方向リンク１２０によりアクセス端末１１６に情報を送信し、そして逆方向リンク１１８によりアクセス端末１１６から情報を受信する。アクセス端末１２２はアンテナ１０６および１０８と通信しており、ここでアンテナ１０６および１０８は順方向リンク１２６によりアクセス端末１２２に情報を送信し、そして逆方向リンク１２４によりアクセス端末１２２から情報を受信する。ＦＤＤシステムでは、通信リンク１１８，１２０，１２４および１２６は通信のために異なる周波数を使用できる。例えば、その時順方向リンク１２０は逆方向リンク１１８によって使用されたものと異なる周波数を使用できる。
【００１５】
各群のアンテナおよび／またはその中で通信するように設計されたエリアはしばしば１セクタのアクセス点と呼ばれる。この態様では、アンテナ群は各々、アクセス点１００によってカバーされたエリアの、１セクタ内のアクセス端末に送信するように設計される。
【００１６】
順方向リンク１２０および１２６による通信では、アクセス点１００の送信アンテナは異なるアクセス端末１１６および１２２のための順方向リンクの信号対雑音電力比を改善するためにビームフォーミングを使用する。また、それのカバレッジの全体に亘ってランダムに散在しているアクセス端末に送信するためにビームフォーミングを使用しているアクセス点はそのアクセス端末のすべてに単一のアンテナにより送信しているアクセス点よりも隣接したセル内のアクセス端末にあまり影響を与えない。
【００１７】
アクセス点は端末と通信するために使用された固定局であってもよく、そしてまたアクセス点、ノードＢ、またはその他の術語でも呼ばれる。アクセス端末はまた移動端末、ユーザ装置（ＵＥ）、無線通信装置、端末、アクセス端末または何か他の術語でも呼ばれる。
【００１８】
図２はＭＩＭＯシステム２００内の送信器システム２１０（アクセス点としても知られる）および受信器システム２５０（アクセス端末としても知られる）の１態様のブロック図である。送信器システム２１０では、多数のデータストリームのためのトラフィックデータはデータソース２１２から送信（ＴＸ）データプロセッサ２１４に供給される。
【００１９】
１態様では、各データストリームはそれぞれの送信アンテナ上で送信される。ＴＸデータプロセッサ２１４は符号化されたデータを供給すべくそのデータストリームのために選択された特定の符号化スキームに基づいた各データストリームのためのトラフィックデータをフォーマットし、符号化し、そしてインターリーブする。ある態様では、ＴＸデータプロセッサ２１４はプリコーディングマトリクス(pre-coding  matrix)を使用しているデータストリームの記号にビームフォーミング重みづけ(beam forming  weight)を適用する。
【００２０】
各データストリームに関する符号化されたデータはＯＦＤＭテクニックを使用してパイロットデータと多重化されることができる。パイロットデータは典型的に既知の手法で処理される既知のデータパターンであり、チャネル応答を推定するために受信器システムで使用されることができる。各データストリームに関する多重化されたパイロットおよび符号化されたデータはその後変調記号を供給すべくそのデータストリームのために選択された特定の変調スキーム（例えば、ＢＰＳＫ，ＱＳＰＫ，Ｍ−ＰＳＫ，またはＭ−ＱＡＭ）に基づいて変調される（即ち、記号マップされる）。各データストリームに関するデータ速度、符号化、および変調はプロセッサ２３０によって実行される命令によって決定されることができる。
【００２１】
全データストリームに関する変調記号はその後ＴＸ  ＭＩＭＯプロセッサ２２０に供給され、それはこの（例えば、ＯＦＤＭ用の）変調記号をさらに処理できる。ＴＸ  ＭＩＭＯプロセッサ２２０はその後ＮT変調記号ストリームをＮT送信器（ＴＭＴＲ）２２２ａ乃至２２２ｔに供給する。ある態様では、ＴＸ  ＭＩＭＯプロセッサ２２０はビームフォーミング重みづけをデータストリームの記号に、およびそれから記号が送信されているアンテナに適用する。このビームフォーミング重みづけは、メモリ２３２から検索されることができるレイヤマトリクスによって複数のアンテナの１つを使用して決定される。
【００２２】
各送信器２２２は１つまたはそれ以上のアナログ信号を供給するためにそれぞれの記号ストリームを受信して処理し、そしてＭＩＭＯチャネル上での伝送向きの変調された信号を供給するためにアナログ信号をさらに調節（例えば、増幅、フィルタ、およびアップコンバート）する。送信器２２２ａ乃至２２２ｔからのＮT変調信号はその後、それぞれ、ＮTアンテナ２２４ａ乃至２２２ｔから送信される。
【００２３】
受信器システム２５０では、送信された変調信号はＮRアンテナ２５２ａ乃至２５２ｒによって受信され、そして各アンテナ２５２からの受信信号はそれぞれの受信器（ＲＣＶＲ）２５４ａ乃至２５４ｒに供給される。各受信器２５４はそれぞれの受信信号を調節（例えば、フィルタ、増幅、およびダウンコンバート）し、サンプルを供給するためにこの調節された信号をディジタル化し、そして対応する“受信”記号ストリームを供給するためにこのサンプルをさらに処理する。
【００２４】
ＲＸデータプロセッサ２６０はその後ＮT“検出”記号ストリームを供給するための特定の受信器処理テクニックに基づいてＮR受信器２５４からのＮR受信記号ストリームを受信して処理する。ＲＸデータプロセッサ２６０はその後そのデータストリームに関するトラフィックデータを再生するために各検出された記号ストリームを復調し、デ・インターリーブし、そして復号する。ＲＸデータプロセッサ２６０による処理は送信器システム２１０でのＴＸ  ＭＩＭＯプロセッサ２２０およびＴＸデータプロセッサ２１４によって実行されたことと相補的である。
【００２５】
プロセッサ２７０は（下で検討された）どのプリコーディングマトリクスを使用すべきかを周期的に決定する。プロセッサ２７０はマトリクスインデックス部(matrix  index  portion)およびランク値部(rank  value  portion)を具備する逆方向リンクメッセージを組み立てる。逆方向リンクメッセージは通信リンクおよび／または受信データストリームに関するいろいろなタイプの情報を含んでもよい。逆方向リンクメッセージはその後、データソース２３６からの多数のデータストリームに関するトラフィックデータをも受信するＴＸデータプロセッサ２３８によって処理され、変調器２８０によって変調され、送信器２５４ａ乃至２５４ｒによって調節され、そして送信器システム２１０に返信される。
【００２６】
送信器システム２１０では、受信器システム２５０からの変調された信号はアンテナ２２４によって受信され、受信器２２２によって調節され、復調器２４０によって復調され、そして受信器システム２５０によって送信された逆方向リンクメッセージを抽出するためにＲＸデータプロセッサ２４２によって処理される。プロセッサ２３０はその後、ビームフォーミング重みづけを決定するために使用すべきプリコーディングマトリクスがその時この抽出されたメッセージを処理することを決定する。
【００２７】
図２がＭＩＭＯシステムを検討する一方で、同じシステムは複数の送信アンテナ、例えば、基地局上のそれらが単一アンテナ装置、例えば移動局に１つまたはそれ以上の記号ストリームを送信する複数入力単数出力システムに適用されることができる。また、単数入力アンテナシステムへの単数出力は図２について記述されたと同じ手法で使用されることができる。
【００２８】
図３は１態様に記載の適応可能な登録エリアを図示する。エレメント３０２はアクセス端末１１６がパワーセービングモードに入った位置を示す。エレメント３０６は基地局のカバレッジエリア(coverage area)、一般に第１の登録エリアを表す。エレメント３１０は１態様に記載のより大きいエリア（登録またはページングエリア）、一般に第２の登録エリアを表す。エレメント３０４は１態様に記載の第３のエリア、一般に第３の登録エリアを表す。
【００２９】
１態様では、所定の時間の後に、アクセス端末１１６はパワーセーブモードに入る。パワーセーブモード（アイドルモードとも呼ばれる）はアクセス端末１１６に、登録資源のような、パワー消費源を保持しないことによってパワーを保存させる。パワーセーブモードにある時に、アクセス端末のメモリでは、アクションの設定を決定するためにプロセッサによって蓄積されそしてアクセスされるいくつかの属性（attribute）がある。例えば、特に、登録境界（registration boundary）に関する属性。アクセス端末１１６が同じほど永くこの登録エリア内にあると、ネットワークが特別にそれを要求しなければ、アクセス端末１１６は最初の登録の後で登録し続ける必要はない。
【００３０】
１態様に従って、パワーセーブモードに入って後に、アクセス端末１１６は、（ウェイクアップしている(waking up)アクセス端末１１６として参照されるために）登録が要求されるか否かを決定するためにそれの位置を周期的に決定する。アクセス端末１１６はネットワークがパワーセービングモードに入ったこともそれに通知できる。もしも登録が要求されると決定したならば、アクセス端末１１６はその中でアクセス端末１１６が現在の基地局と共に資源を組み立て、そしてこの基地局を使用しているネットワークと共に登録する登録スキームを実行する。パワーセーブモードに入って後のこの最初の登録は第１の登録とみなされる。この第１の登録の後の次の登録は、パワーセービングモードにある間は第２の登録、第３の登録、等と呼ばれる。アクセス端末１１６がパワーセーブモードに入った後の各登録への反応において、ネットワークとアクセス端末１１６との両者は登録に順応して、登録エリアが変更を要求することを想定する。また、ネットワークは同時に登録されたアクセス端末１１６は移動体であり、ページングエリアを調整することも想定する。
【００３１】
１態様では、いつもアクセス端末１１６はパワーセーブモードに入り、ネットワークとアクセス端末１１６とは登録計数(registration  count)を再始動させる。例えば、登録計数は次の通りであってもよい：第１の登録、第２の登録、第３の登録、再始動、第１の登録、第２の登録、再始動、等。無線システムはまた、所定の時間の終了、アクセス端末１１６がパワーセーブモードに入った位置から所定の距離を進むこと、アクセス端末１１６がパワーセーブモードからもう１つのモードに切り換えること、等のような、登録計数を再始動させるための他の方法も使用できる。
【００３２】
１態様に従って、最初のまたは次の登録が要求されるか否か決定することにおいて、アクセス端末１１６はアクセス端末１１６が登録境界の外部にあるか否かを決定する。登録境界（即ち、登録エリア）はいくつかの方法によって決定されることができる。システムの負荷またはシステムのオペレータの存在次第で、登録境界は基地局カバレッジエリアベースまたは距離ベースであることができる。基地局カバレッジベース法は登録またはページングエリアとして１つまたはそれ以上の基地局のカバレッジエリアから成る。距離ベース法はアクセス端末１１６がパワーセーブモードに入った位置からのデルタ距離(delta  distance)またはアクセス端末１１６がパワーセーブモードに入った基地局からのデルタ距離を有する。
【００３３】
図４Ａは基地局カバレッジエリア４００に基づいた適応可能な登録エリア法を図示する。図４Ａはそれぞれカバレッジエリア４０２，４０４，４０６，４０８および４１０を有しているいくつかの基地局４１２，４１８，４２２，４２４および４２６を図示する。エレメント４１４，４１６，４１７，４２０，４２８および４３０はアクセス端末１１６が登録すべきか否か決定を行うアクセス端末１１６の位置を示す。１例として、位置４１４はアクセス端末１１６が第１の時間の間パワーセービングモードに入った位置を表す。この態様に従って、アクセス端末１１６がパワーセービングモードに入る時に、登録エリア（即ち、最初のまたは第１の登録エリア）は基地局カバレッジエリア４０２に設定される。パワーセービングモードにある間、もしもアクセス端末１１６が位置４１６に進んだならば、その時アクセス端末１１６はそれがそれの登録エリアから出たことを、そしてそれの新しい位置を通知するためにネットワークに登録せねばならないことを決定する。この決定はアクセス端末１１６の現在の位置を使用してなされることができる。現在の位置を決定するために、例えばグローバルポジショニングシステム（ＧＰＳ；Global Position System）または現在のサービング基地局（serving base station）識別（ＩＤ;identification）を使用している、いろいろな技術が使用されることができる。
【００３４】
基地局カバレッジ法に従って、新登録エリア（即ち、第２の登録エリア）は今最初のカバレッジエリア４０２のほかに現在のサービング基地局４１８のカバレッジエリア（即ち、カバレッジエリア４０４）を含む。もう１つの態様では、第２の登録エリアは基地局４１２の周りの１つまたはそれ以上の基地局カバレッジエリア、例えば基地局４２６およびカバレッジエリア４１０を含んでもよい。第１の登録に応じて、ネットワークはまた基地局カバレッジエリア４０４を含むためにページングエリアも更新するであろう。最初にページング資源（paging resource）と交信するために、ネットワークおよびアクセス端末１１６は１つの基地局カバレッジエリアのみを加えるために第２の登録エリアを制限するであろう。従って、アクセス端末１１６が位置４１７にある間、アクセス端末１１６はそれが再登録を要求しないこと、そしてネットワークはアクセス端末１１６をページするために基地局４１２および４１８も使用するであろうことを決定するであろう。もしもアクセス端末１１６が第２の登録エリアの外に、例えば、位置４２０に進み続けるならば、その時アクセス端末１１６は、再びその位置に基づいて、登録を要求することおよび第２の登録を行うであろうことを決定するであろう。１態様では、第２の登録が行われる時に、新登録エリアは第２の登録エリアの全エリアおよび基地局４２２のカバレッジエリア４０６を含む（即ち、第３の登録エリア）が作り出される。第２の登録エリアと同様に、第２の登録エリアの周りの追加の基地局が含まれてもよい。また、１態様では、第２の登録エリアは基地局４２４の基地局カバレッジエリア４０８を含んでもよい。従って、第３の登録エリアに基地局カバレッジエリア４０２，４０４，４０６，４０８および４２４を含ませる。周りの基地局の使用はシステムの現在の負荷に基づいて使用されるか、あるいはシステムを効果的に活動させることと同時に予め定められてもよい。
【００３５】
図４Ｂはもう１つの態様に記載の距離ベースの適応可能な登録エリアを図示する。エレメント４１４はアクセス端末１１６がパワーセービングモードに入った位置を示す。エレメント４５２および４６２はアクセス端末１１６の位置４１４から始まる登録エリアの半径を定義する予め定められた距離である。この態様に従って、アクセス端末１１６が位置４１４でパワーセービングモードに入る時に、登録エリア（即ち、最初の登録エリア）は基地局カバレッジエリア４０２に設定される。もしもアクセス端末１１６が最初の登録エリア外に進めば、その時アクセス端末１１６は登録が必要であると決定される。従って、アクセス端末１１６はパワーセービングモードに入って後に第１の登録を実行する。第１の登録を実行して後に、新登録エリア（即ち、第２の登録エリア）が決定され、そして最初の登録エリア４０２のほかに放射状の地理的エリアを含む。第２の登録エリアの半径は位置４１４と位置４５２との間の距離である。第１の登録に応じて、ネットワークはまた第２の登録エリアを含むようにページングエリアも更新するであろう。最初にページング資源と交信するために、ネットワークおよびアクセス端末１１６は第２の登録エリアを制限し、そしてその半径を小さく、例えば２マイルに、するであろう。従って、アクセス端末１１６が第２の登録エリアによって定義された地理的エリア内にある間、アクセス端末１１６はページを受けるために何も追加の登録を行う必要はない。ネットワークはページングエリアを調整しないであろう。もしもアクセス端末１１６が第２の登録エリアの外に進み続けるならば、その時アクセス端末１１６はそれの位置に基づいて再び登録が必要であると決定するであろうし、そして第２の登録を実行するであろう。１態様では、第２の登録が実行される時に、第２の登録エリアのほかに放射状の地理的エリアを含む新登録エリア（即ち、第３の登録エリア）が作り出され、ここにおいて第３の登録エリアの半径は位置４１４と位置４６２との間の距離である。第２の登録に応じて、ネットワークはまた第３の登録エリアを含むようにページングエリアも更新するであろう。
【００３６】
図４Ｃはもう１つの態様に記載の距離ベースの適応可能な登録エリアを図示する。エレメント４１４はアクセス端末１１６がパワーセービングモードに入った位置を示す。エレメント４８６および４８８は基地局４１２の位置から始まる登録エリアの半径を定義する予め定められた距離である。この態様に従って、アクセス端末１１６が位置４１４でパワーセービングモードに入る時に、登録エリア（即ち、最初の登録エリア）は基地局カバレッジエリア４０２に設定される。もしもアクセス端末１１６が最初の登録エリア外に進めば、その時それは登録が必要であると決定する。従って、アクセス端末１１６はパワーセービングモードに入って後に第１の登録を実行する。第１の登録を実行して後に、新登録エリア（即ち、第２の登録エリア）は最初の登録エリア４０２のほかに放射状の地理的エリアを含み、ここにおいて第２の登録エリアの半径は位置４１２と位置４８６との間の距離である。第１の登録に応じて、ネットワークはまた第２の登録エリアを含むようにページングエリアも更新するであろう。最初にページング資源と交信するために、ネットワークおよびアクセス端末１１６は第２の登録エリアを制限し、そしてその半径を小さく、例えばカバレッジエリア４０２を通り過ぎて２マイルにするであろう。従って、アクセス端末１１６が第２の登録エリアによって定義された地理的エリア内にある間、アクセス端末１１６はページを受けるために何も追加の登録を行う必要はない。もしもアクセス端末１１６が第２の登録エリアの外に進み続けるならば、なお、その時アクセス端末１１６は再びそれの位置に基づいて登録が必要であると決定するであろうし、そして第２の登録を実行するであろう。１態様では、第２の登録が実行される時に、新登録エリアは第２の登録エリアのほかに放射状の地理的エリアを含む（即ち、第３の登録エリア）が作り出され、ここにおいて第３の登録エリアの半径は位置４１４と位置４８８との間の距離である。第２の登録に応じて、ネットワークはまた第３の登録エリアを含むようにページングエリアも更新するであろう。
【００３７】
システムの展開次第で、追加の登録エリアは図４Ａ，４Ｂおよび４Ｃに記述されたように加えられる。また、追加の方法は適応可能な登録エリアを実行するためにも使用されてよい。
【００３８】
図５はアクセス端末１１６によって使用された方法のフローを図示する。ブロック５０２で、アクセス端末１１６は登録が要求されるか否かを決定する。アクセス端末１１６はパワーセービングモードにある間それの位置を周期的にチェックし（即ち、周期的にウェイクアップしてチェックし）、そしてそれが現在の登録エリアを横切ったか否かを決定する。図４Ａ〜４Ｃに記述されたように、アクセス端末１１６はアクセス端末１１６が登録エリアの外にあるか否かを決定するためにそれの現在の位置を使用する。もしもアクセス端末１１６はそれがその登録エリアを横切ったと決定すれば、その時アクセス端末１１６は新登録が必要であることを決定する。ブロック５０４で、アクセス端末１１６は新登録を行うために登録メッセージを送信する。状況では、このメッセージは現在の位置と現在のサービス基地局の基地局ＩＤとを含む。ブロック５０６で、登録処理の終了またはそれと同時に、アクセス端末１１６は登録エリアを調整するためにそれのデータベースを更新する。
【００３９】
図６はネットワークによって使用された方法のフローを図示する。ブロック６０２で、ネットワークはアクセス端末１１６から登録要求メッセージを受信し、そしてこの登録がパワーセービングモードに入ったアクセス端末１１６からのものであるか否かとその登録のタイプとを決定する。１態様ではこのメッセージはネットワークにこれが第１の登録、第２の登録、第３の登録等であるか否かを決定させる情報を含んでもよい。ネットワークは、登録のタイプが第１，第２,第３等のいずれかを決定するために、アクセス端末１１６に関する情報とこのメッセージで受信された情報とを具備している、そのデータベースをアクセスする。もしもこの登録がパワーセービングモードにあるアクセス端末１１６からであると決定したならば、その時ブロック６０４では、ネットワークがこのアクセス端末１１６についてのページングエリアを更新し、そして要求するアクセス端末１１６が移動中であるとして分類する。１態様では、要求メッセージを受信した情報はアクセス端末１１６の位置を含む。例えば、正確な位置またはアクセス端末１１６をサービスしている基地局のＩＤ。この位置情報を使用して、ネットワークはページングエリアを調整するために使用すべきパラメータを決定できる。
【００４０】
図７Ａはある実施形態の１態様に記載の方法７００を実行するための１つまたはそれ以上のモジュールの使用を図示する。図７Ａで参照されたモジュールは電子装置、プロセッサ、ハードウェア装置、蓄積媒体、等か、またはそれの任意の組合わせであってもよい。図７Ａを参照して、１態様では、装置は第１の登録が必要であるか否かを決定するための手段；もしも第１の登録が必要であることを決定したならば、第１の登録を実行するための手段；および第２の登録エリアを発生するための手段を備える。また、装置は第３の登録エリアを発生するための手段を備える。この手段は、それぞれ、図７Ａの７０２，７０４，７０６および７０８によって記述されたモジュールであってもよい。
【００４１】
図７Ｂはある実施形態の１態様に記載の方法７５０を実行するための１つまたはそれ以上のモジュールの使用を図示する。図７Ｂで参照されたモジュールは電子装置、プロセッサ、ハードウェア装置、蓄積媒体、等か、またはそれの任意の組合わせであってもよい。図７Ｂを参照して、１態様では、装置は第１の登録エリアの外部にあるアクセス端末から第１の登録要求を受信するための手段；および第１の登録要求を受信することに応じてこのアクセス端末のためにページングエリアを調整するための手段を備える。この手段は、それぞれ、図７Ｂの７５２および７５４によって記述されたモジュールであってもよい。
【００４２】
いろいろな実施形態では、この中に記述された方法はこの態様の１つまたはそれ以上の方法に対応するステップ、例えば、信号処理、メッセージ発生および／または送信ステップを実行するために１つまたはそれ以上のモジュールを使用して実施される。従って、いくつかの実施形態ではいろいろな特徴はモジュールを使用して実施される。そのようなモジュールはソフトウェア、ハードウェアまたはソフトウェアとハードウェアとの組合わせを使用して実施されることができる。上記された方法または方法ステップの多くは、例えば、１つまたはそれ以上のノード内で、上記方法の全部または一部を実施するために、機械、例えば、追加のハードウェア有りまたは無しの汎用コンピュータを制御するために、メモリ装置、例えば、ＲＡＭ、フロッピー（登録商標）ディスク、コンパクトディスク、ＤＶＤ等のような機械可読媒体内に含まれる、ソフトウェアのような、機械実行可能な命令を使用して実施されることができる。よって、特に、この態様は機械、例えば、プロセッサおよび関連するハードウェアに、上記の方法の１つまたはそれ以上のステップを実行させるための機械実行可能な命令を含んでいる機械可読媒体に向けられる。
【００４３】
例えば、アクセス点１００およびアクセス端末１１６は、マイクロ波アクセス用の世界相互運用性（ＷｉＭＡＸ）、赤外線データ連合（ＩｒＤＡ）のような赤外線プロトコル、短距離無線プロトコル／テクノロジー、ブルートゥース(R)テクノロジー、ジグビー(ZigBee) (R)プロトコル、超広帯域（ＵＷＢ）プロトコル、ホーム無線周波数（ＨｏｍｅＲＦ）、共有無線アクセスプロトコル（ＳＷＡＰ）、無線イーサネット（登録商標）コンパチビリティ同盟（ＷＥＣＡ）、無線忠実度同盟（Ｗｉ−Ｆｉ  Ａｌｌｉａｎｃｅ）のような、広帯域テクノロジー、８０２．１１ネットワークテクノロジー、公衆電話交換ネットワークテクノロジー、インターネットのような公衆異種通信ネットワーク、私設無線通信ネットワーク、陸上移動無線ネットワーク、符号分割多重アクセス（ＣＤＭＡ）、広帯域符号分割多重アクセス（ＷＣＤＭＡ）、ユニバーサル移動電気通信システム（ＵＭＴＳ）、進歩した移動電話サービス（ＡＭＰＳ）、時分割多重アクセス（ＴＤＭＡ）、周波数分割多重アクセス（ＦＤＭＡ）、直交周波数分割多重アクセス（ＯＦＤＭＡ）、移動通信用グローバルシステム（ＧＳＭ(登録商標)）、シングルキャリア（１Ｘ）無線伝送テクノロジー（ＲＴＴ）、展開データオンリー（ＥＶ−ＤＯ）テクノロジー、一般パケット無線サービス（ＧＰＲＳ）、強化データＧＳＭ環境（ＥＤＧＥ）、高速ダウンリンクデータパケットアクセス（ＨＳＰＤＡ）、アナログおよびディジタル衛星システムのような通信プロトコル／標準を、そして無線通信ネットワークおよびデータ通信ネットワークの少なくとも１つにおいて使用され得る任意の他のテクノロジー／プロトコルを実施するために構成される。
【００４４】
この中に記述されたテクニックはいろいろな手段によって実施されることができる。例えば、これらのテクニックはハードウェア、ソフトウェア、またはそれの組合わせにおいて実施されることができる。ハードウェア実施の形態に関しては、これらのテクニックのための処理ユニット（例えば、プロセッサ２３０および２７０、ＴＸおよびＲＸプロセッサ２１４および２６０等）が、特定用途向け集積回路（ＡＳＩＣ）、ディジタル信号プロセッサ（ＤＳＰ）、ディジタル信号処理装置（ＤＳＰＤ）、プログラマブル論理装置（ＰＬＤ）、フィールドプログラマブルゲートアレイ（ＦＰＧＡ）、プロセッサ、コントローラ、マイクロコントローラ、マイクロプロセッサ、この中に記述された機能を実行するように設計された他の電子ユニット、あるいはそれの組合わせのような１つまたはそれ以上の電子装置の内部で実施されることができる。
【００４５】
ソフトウェア実施の形態に関しては、この中に記述されたテクニックはこの中に記述された機能を実行するモジュール（例えば、手順、機能、等）で実施されることができる。ソフトウェア符号はメモリユニット（例えば、図２内のメモリ２３２および２７２）内に蓄積され、そしてプロセッサ（例えば、コントローラ２３０）によって実行されることができる。メモリユニットはプロセッサの内部でまたはプロセッサと無関係に実施されることができ、後者の場合にはそれはこの分野で知られているようないろいろな手段によってプロセッサに通信的に連結されることができる。
【００４６】
ヘッディングは参考のためにそしてあるセクションを確認することを援助するためにこの中に含まれる。これらのヘッディングはこの中に下記された概念の範囲を制限しようとは思わない、そしてこれらの概念は全体の仕様を通して他のセクション内で適応性を有することができる。
【００４７】
開示された態様の前の説明はこの分野の任意の技術者が本態様を製作または使用することを可能とするように提供される。これらの態様へのいろいろな変更はこの分野の技術者にはたやすく明白であるだろうし、そしてこの中に定義された包括的な原理はこの態様の精神または範囲から逸脱すること無しに他の態様に適用されてもよい。従って、この明細書はこの中に示された態様に制限されるつもりはなく、しかしこの中に開示された原理および新規な特徴と矛盾しない最も広い範囲が許容されるべきである。
【図１】
2011217402.tif 000003
【図２】
2011217402.tif 000004
【図３】
2011217402.tif 000005
【図４Ａ】
2011217402.tif 000006
【図４Ｂ】
2011217402.tif 000007
【図４Ｃ】
2011217402.tif 000008
【図５】
2011217402.tif 000009
【図６】
2011217402.tif 000010
【図７Ａ】
2011217402.tif 000011
【図７Ｂ】
2011217402.tif 000012
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
無線通信システム内で動作可能な装置であって、
第１の登録が要求されるか否かを決定するための手段、
第１の登録が要求されることを決定したならば、第１の登録を実行するための手段、および、
第２の登録エリアを発生するための手段
を具備する装置。
【手続補正２】
【補正対象書類名】明細書
【補正対象項目名】００４７
【補正方法】変更
【補正の内容】
【００４７】
開示された態様の前の説明はこの分野の任意の技術者が本態様を製作または使用することを可能とするように提供される。これらの態様へのいろいろな変更はこの分野の技術者にはたやすく明白であるだろうし、そしてこの中に定義された包括的な原理はこの態様の精神または範囲から逸脱すること無しに他の態様に適用されてもよい。従って、この明細書はこの中に示された態様に制限されるつもりはなく、しかしこの中に開示された原理および新規な特徴と矛盾しない最も広い範囲が許容されるべきである。  
以下に、本願出願の当初の特許請求の範囲に記載された発明を付加する。
[1]無線通信システム内で動作可能な装置であって、
第１の登録が要求されるか否かを決定するための手段、
第１の登録が要求されることを決定したならば、第１の登録を実行するための手段、および、
第２の登録エリアを発生するための手段
を具備する装置。
[2]第１の登録が要求されるか否かを決定するための該手段は、現在の位置が第１の登録エリアの外部にあるか否かを決定するための手段を備える、
上記[1]記載の装置。
[3]現在の位置が第１の登録エリアの外部にあるか否かを決定するための該手段はアクセス端末の該現在の位置を決定するための手段を備える、
上記[2]記載の装置。
[4]第２の登録エリアを発生するための該手段は新登録エリアを決定し、そしてそれを第１の登録エリアに加えるための手段を備える、
上記[2]記載の装置。
[5]第２の登録エリアを発生するための該手段は現在のサービス基地局のカバレッジエリアを使用している新エリアを発生するための手段を備える、
上記[1]記載の装置。
[6]第２の登録エリアを発生するための該手段は現在の位置を使用している新エリアを発生するための手段を備える、
上記[1]記載の装置。
[7]現在の位置を使用するための該手段はグローバルポジショニングシステム（ＧＰＳ）を使用している該現在の位置を決定するための手段から成る、
上記[6]記載の装置。
[8]第２の登録エリアを発生するための該手段は第１のアクセス点の位置を使用している新エリアを発生するための手段を備える、
上記[1]記載の装置。
[9]該第１のアクセス点の位置を使用するための該手段は該第１のアクセス点の経度および緯度値を使用するための手段を備える、
上記[8]記載の装置。
[10]さらに、第２の登録が要求されるか否かを決定するための手段、
第２の登録が要求されることを決定したならば、第２の登録を実行するための手段、および、
第３の登録エリアを発生するための手段、
を具備する上記[1]記載の装置。
[11]第１の登録エリアから該第２の登録エリアに移行するための手段をさらに備え、該第１の登録エリアは小さいおよび第２の登録エリアは大きい、
上記[1]記載の装置。
[12]該第１の登録が要求されるか否かを決定するための該手段は、該アクセス端末の位置を決定するための手段および該位置が第１の登録エリアの外部にあるか否かを決定するための手段を含む、
上記[1]記載の装置。
[13]該位置を決定するための該手段はサービングアクセス点の経度および緯度値を使用するための手段を備える、
上記[12]記載の装置。
[14]該位置を決定するための該手段は該アクセス端末の該位置を得るためにＧＰＳを使用するための手段を備える、
上記[13]記載の装置。
[15]該位置を決定するための該手段は該アクセス端末が交差した該登録数についての情報を使用するための手段を備える、
上記[13]記載の装置。
[16]無線通信システム内で登録エリアを調整するための方法であって、
第１の登録が要求されるか否かを決定すること、
第１の登録が要求されることを決定したならば、第１の登録を実行すること、および、
第２の登録エリアを発生すること、
を含む方法。
[17]第１の登録が要求されるか否かを該決定することは、現在の位置が第１の登録エリアの外部にあるか否かを決定することを含む、
上記[16]記載の方法。
[18]現在の位置が第１の登録エリアの外部にあるか否かを該決定することはアクセス端末の該現在の位置を決定することを含む、
上記[17]記載の方法。
[19]第２の登録エリアを該発生することは新登録エリアを決定することそしてそれを第１の登録エリアに加えることを含む、
上記[17]記載の方法。
[20]第２の登録エリアを該発生することは現在のサービス基地局のカバレッジエリアを使用している新エリアを発生することを含む、
上記[16]記載の方法。
[21]第２の登録エリアを該発生することは現在の位置を使用している新エリアを発生することを含む、
上記[16]記載の方法。
[22]現在の位置を使用することはグローバルポジショニングシステム（ＧＰＳ）を使用している該現在の位置を決定することを含む、
上記[21]記載の方法。
[23]第２の登録エリアを該発生することは第１のアクセス点の位置を使用している新エリアを発生することを含む、
上記[16]記載の方法。
[24]該第１のアクセス点の位置を使用することは該第１のアクセス点の経度および緯度値を使用することを含む、
上記[23]記載の方法。
[25]さらに、第２の登録が要求されるか否かを決定すること、
第２の登録が要求されることを決定したならば、第２の登録を実行すること、および、
第３の登録エリアを発生すること、
を含む上記[16]記載の方法。
[26]第１の登録エリアから該第２の登録エリアに移行することをさらに含み、該第１の登録エリアは小さくそして第２の登録エリアは大きい、
上記[16]記載の方法。
[27]該第１の登録が要求されるか否かを該決定することは、該アクセス端末の位置を決定することおよび該位置が第１の登録エリアの外部にあるか否かを決定することを含む、上記[16]記載の方法。
[28]該位置を該決定することはサービングアクセス点の経度および緯度値を使用することを含む、
上記[27]記載の方法。
[29]ここにおいて該位置を該決定することは該アクセス端末の該位置を得るためにＧＰＳを使用するための手段から成る、上記[28]記載の方法。
[30]該位置を該決定することは該アクセス端末が交差した該登録数についての情報を使用することを含む、
上記[28]記載の方法。
[31]無線通信システム内で動作可能な装置であって、
第１の登録が要求されるか否かを決定するように構成されたプロセッサを含み、なお第１の登録が要求されることを決定したならば、該プロセッサは第１の登録を実行するようにさらに構成され、そして該プロセッサは第２の登録エリアを発生するようにさらに構成される装置。
[32]該プロセッサは現在の位置が第１の登録エリアの外部にあるか否かを決定するようにさらに構成される、
上記[31]記載の装置。
[33]該プロセッサは該現在の位置を決定するようにさらに構成される、
上記[32]記載の装置。
[34]該プロセッサは新登録エリアを決定するおよびそれを第１の登録エリアに加えるようにさらに構成される、
上記[32]記載の装置。
[35]該プロセッサは現在のサービス基地局のカバレッジエリアを使用している新エリアを発生するようにさらに構成される、
上記[31]記載の装置。
[36]該プロセッサは現在の位置を使用している新エリアを発生するようにさらに構成される、上記[31]記載の装置。
[37]該プロセッサはグローバルポジショニングシステム（ＧＰＳ）を使用している該現在の位置を決定するようにさらに構成される、
上記[36]記載の装置。
[38]該プロセッサは第１のアクセス点の位置を使用している新エリアを発生するようにさらに構成される、
上記[31]記載の装置。
[39]該プロセッサはアクセス点の該位置を決定するために該第１のアクセス点の経度および緯度値を使用するようにさらに構成される、
上記[38]記載の装置。
[40]該プロセッサは第２の登録が要求されるか否かを決定するようにさらに構成され、第２の登録が要求されることを決定したならば、該プロセッサは第２の登録を実行するようにさらに構成され、および該プロセッサは第３の登録エリアを発生するようにさらに構成される、
上記[31]記載の装置。
[41]機械可読媒体であって、機械によって実行した時に、該機械に
第１の登録が要求されるか否かを決定すること、
第１の登録が要求されることを決定したならば、第１の登録を実行すること、および、
第２の登録エリアを発生すること
を含む動作を行わせる命令を含む機械可読媒体。
[42]第１の登録が要求されるか否かを該決定することは、現在の位置が第１の登録エリアの外部にあるか否かを決定することを含む、
上記[41]記載の機械可読媒体。
[43]現在の位置が第１の登録エリアの外部にあるか否かを該決定することはアクセス端末の該現在の位置を決定することを含む、
上記[42]記載の機械可読媒体。
[44]第２の登録エリアを該発生することは新登録エリアを決定するおよびそれを第１の登録エリアに加えることを含む、
上記[42]記載の機械可読媒体。
[45]さらに、第２の登録が要求されるか否かを決定すること、
第２の登録が要求されることを決定したならば、第２の登録を実行すること、および、
第３の登録エリアを発生すること、
を含む上記[41]記載の機械可読媒体。
[46]無線通信システム内で動作可能な装置であって、
第１の登録が要求されるか否かを決定するように構成されたプロセッサ、なお、第１の登録が要求されることを決定したならば、該プロセッサは第１の登録を実行するようにさらに構成され、そして該プロセッサは第２の登録エリアを発生するようにさらに構成され、
登録エリア用の該パラメータを蓄積するように構成されたメモリ、および、
登録要求を送信するように構成された送信器、
を含む装置。
[47]無線通信システム内で動作可能な装置であって、
第１の登録要求を該第１の登録エリアの外部にあるアクセス端末から受信するための手段、および、
該第１の登録要求を受信することに応じて該アクセス端末のための該ページングエリアを調整するための手段、
を具備する装置。
[48]無線通信エリア内のページングエリアを調整するための方法であって、
第１の登録要求を該第１の登録エリアの外部にあるアクセス端末から受信すること、および、
該第１の登録要求を受信することに応じて該アクセス端末のための該ページングエリアを調整すること、
を含む方法。
【外国語明細書】
2011217402000001.pdf